(57)【要約】【課題】  エプロンを前に出すことなく回転させて良好に着脱できるとともに、洗い場側からの洗い水の浴槽側への流れ込みを防ぐことのできる防水パンの堤防構造を提供する。【解決手段】  洗い場２側と浴槽５側を仕切り、左右両壁間に亘って配設される浴室用防水パン１の堤防４は、エプロン６の下端が当接される洗い場２側の当り面４ａが直線状に形成されているとともに、左右両端側には、エプロン６の下端よりも浴槽５側へ位置する後退部４ｂ，４ｂが形成され、この後退部４ｂ，４ｂの洗い場２側に、エプロン６の回転スペースとなり、また、浴槽からの溢れ水の導水場所として利用できるスペースＳが形成されている。【選択図】        図１
2006009529.tif 000002
【特許請求の範囲】
【請求項１】
洗い場側と浴槽側を仕切り左右両壁間に亘って配設される浴室用防水パンの堤防において、該堤防は、エプロンの下端が当接される洗い場側の当り面が直線状に形成されているとともに、左右両端側には、前記エプロン下端よりも浴槽側へ位置する後退部が形成されていることを特徴とする防水パンの堤防構造。
【発明の詳細な説明】
【技術分野】
【０００１】
本発明は、防水パンにおける堤防の構造に関するものである。
【背景技術】
【０００２】
従来、特許文献１に開示されているように、洗い場にカウンターが取り付けられている場合でも、浴槽からエプロンを着脱する時に、前に出すことなく防水パンの堤防上で回転させて着脱できる構造のものが存在する。
【特許文献１】特開２００２−３４５６６９号公報
【発明の開示】
【発明が解決しようとする課題】
【０００３】
特許文献１では、エプロンを防水パンの堤防上で回転させて着脱させるものであるため、堤防を切り欠くか、堤防に干渉しない位置にエプロンを配置しており、そのため洗い場側から洗い水が浴槽側へ流れ込みやすく、浴槽の下に汚れが溜まる原因となっていた。
【課題を解決するための手段】
【０００４】
本発明は上記従来の問題点に鑑み案出したものであって、エプロンを回転させて着脱することができ、また、洗い場側からの洗い水が浴槽側に流れ込みにくくなる防水パンの堤防構造を提供せんとするものであり、その請求項１は、洗い場側と浴槽側を仕切り左右両壁間に亘って配設される浴室用防水パンの堤防において、該堤防は、エプロンの下端が当接される洗い場側の当り面が直線状に形成されているとともに、左右両端側には、前記エプロンの下端よりも浴槽側へ位置する後退部が形成されていることである。
【発明の効果】
【０００５】
本発明の浴室用防水パンの堤防は、エプロンの下端が当接される洗い場側の当り面が直線状に形成され、左右両端側には、エプロンの下端よりも浴槽側へ位置する後退部が形成されていることにより、カウンターが取り付けられている場合でも、後退部を利用してエプロンを回転させて、良好にエプロンを着脱することができ、また、堤防の直線状の当り面にエプロンの下端を当接させて重ね合わせることで、洗い場側からの洗い水の浴槽側への流れ込みを防ぐことができるものとなる。
また、堤防の後退部を利用して、浴槽回りの隙間から漏れ出た水を樋などを通して良好に洗い場側へ排水させることも可能となる。
【実施例】
【０００６】
以下、本発明の実施例を図面に基づいて説明する。
図１は、防水パン上に設置した浴槽にエプロンを回転させて取り付けできる状態を示した平面構成図である。
【０００７】
本例の防水パン１は、図２の平面構成図で示すように、洗い場２と、浴槽５を設置する浴槽設置面３間を仕切る堤防４が上方へ立ち上げて一体形成されており、この堤防４は、防水パン１の外周の壁パネル載置面１ａ，１ａ側の左右両端側が、浴槽設置面３側へ向かって湾曲状に形成された後退部４ｂ，４ｂとなっており、この後退部４ｂ，４ｂにより、洗い場２側に向いたスペースＳ，Ｓが形成されている。
【０００８】
即ち、堤防４の洗い場２側の立上面はエプロン６の下端が当接される直線状の当り面４ａとなっており、この直線状の当り面４ａの左右端側で、エプロンの下端よりも浴槽側へ位置する後退部４ｂ，４ｂが形成されており、当り面４ａの延長線よりも浴槽設置面３側に洗い場２側へ開放されたスペースＳが形成されている。
【０００９】
浴槽５の洗い場２側に着脱可能に取り付けられるエプロン６は、その左右両端側が左右のスペースＳ，Ｓの洗い場２側に配置され、このスペースＳ内を利用して、図１のように回転させて着脱することができ、カウンター７が洗い場２に設置されている場合でも、エプロン６を前に出すことなく良好にスペースＳ内で回転させて着脱できるものである。
【００１０】
また、図３の斜視図で示すように、エプロン６の左右両端側の下面には、左右のスペースＳ，Ｓの洗い場２側を塞ぐようにして、エプロンサイドスペーサー１０，１０が洗い場２側から嵌め込まれ、エプロン６が固定されるものであり、固定状態では、エプロン６の下端は図４に示すように、堤防４の当り面４ａの洗い場２側に垂設されて、エプロン６の下端が当り面４ａと重ね合わされた状態で当接されるものである。
従って、堤防４の洗い場２側に立ち上がる直線状の当り面４ａに、エプロン６の下端が重ね合わせ状に当接されるため、洗い場２側からの洗い水が浴槽設置面３側へ流れ込むことが良好に防がれ、浴槽設置面３側に汚れが溜まることがないように構成されている。
【００１１】
なお、図１に示すように、浴槽５の上面のフランジの外周から漏れ出す溢れ水を受け止めるために、浴槽５の外周のフランジの下方には樋８が配設され、この樋８で溢れ出た水を受け止めて、スペースＳ内に立設される縦樋８ａを通し、良好に浴槽５からの溢れ水をスペースＳの空間内に縦樋８ａで導いて、洗い場２側へ良好に排水できるように構成されている。
【００１２】
即ち、左右端側のスペースＳの部分の拡大平面図を図５に示し、また図６には、図５の洗い場側から見た正面構成図を示す。
スペースＳの洗い場２側には、前述したようにエプロンサイドスペーサー１０が嵌め込まれており、このエプロンサイドスペーサー１０の底面には、傾斜状に横方向に間隔をおいて複数の底羽根板１０ａ，１０ａ，１０ａが形成されており、この複数の底羽根板１０ａ，１０ａ間で傾斜状の水路Ｒ，Ｒが形成され、縦樋８ａを通してスペースＳ内に導入された浴槽５からの溢れ水は、この水路Ｒ，Ｒ，Ｒを通して洗い場２側へ良好に排出することができるものである。
【００１３】
なお、底羽根板１０ａ，１０ａ，１０ａは、洗い場２側から押し寄せる洗い水がスペースＳ内に勢いよく流れ込むのを防ぐために、傾斜状に形成されているのである。
このようにスペースＳは、エプロン６の着脱時の回転スペースとして利用することができるとともに、浴槽の溢れ水を良好に排水させるための導水スペースとしても有効に利用できるものである。
【図面の簡単な説明】
【００１４】
【図１】上面に浴槽を設置し、エプロンを回転させて取り付ける状態を示す防水パンの平面構成図である。
【図２】浴槽を設置する前の防水パンの平面構成図である。
【図３】エプロンを取り付けた状態の浴槽の斜視構成図である。
【図４】浴槽のエプロンの取付状態の側面縦断面構成図である。
【図５】堤防の左右端に形成されたスペースの部分の拡大平面構成図である。
【図６】図５を洗い場側から見た正面拡大構成図である。
【符号の説明】
【００１５】
１  防水パン
１ａ  壁パネル載置面
２  洗い場
３  浴槽設置面
４  堤防
４ａ  当り面
４ｂ  後退部
５  浴槽
６  エプロン
７  カウンター
８  樋
８ａ  縦樋
１０  エプロンサイドスペーサー
１０ａ  底羽根板
Ｓ  スペース
Ｒ  水路
【図１】
2006009529.tif 000003
【図２】
2006009529.tif 000004
【図３】
2006009529.tif 000005
【図４】
2006009529.tif 000006
【図５】
2006009529.tif 000007
【図６】
2006009529.tif 000008